(57)【要約】【課題】収納装置の使用状態を効率的に取得する。【解決手段】複数の商品を収納するための筐体２０１、引き出し２０２，２０２、または扉と、振動センサ２７０と、通信アンテナ２６０と、制御部２１０と、を備える収納装置２００が提供される。制御部２１０は、通信アンテナ２６０を介して、振動センサ２３０によって検知された振動に関するデータをサーバ１００に送信する。【選択図】図１
2020194427.tif 000002
【特許請求の範囲】
【請求項１】
複数の商品を収納するための筐体と、
引き出し、または扉と、
振動センサと、
通信アンテナと、
制御部と、を備え、
前記制御部は、前記通信アンテナを介して、前記振動センサによって検知された振動に関するデータをサーバに送信する、収納装置。
【請求項２】
硬貨が投入されたことを検知するための硬貨投入検知センサをさらに備え、
前記制御部は、前記通信アンテナを介して、前記硬貨投入検知センサによって検知された硬貨の投入に関するデータをサーバに送信する、請求項１に記載の収納装置。
【請求項３】
前記引き出し、または扉には鍵が設けられておらず、自由に開閉可能に構成されている、請求項１または２に記載の収納装置。
【請求項４】
請求項１から３のいずれか１項に記載の複数の収納装置と、
通信端末と、
サーバと、を備えるネットワークシステムであって、
前記サーバは、前記複数の収納装置毎の振動の回数をカウントし、前記振動の回数が多い前記収納装置に関する情報を前記通信端末に出力させる、ネットワークシステム。
【請求項５】
請求項１から３のいずれか１項に記載の複数の収納装置と、
通信端末と、
サーバと、を備えるネットワークシステムであって、
前記サーバは、前記複数の収納装置毎の位置を記憶し、前記複数の収納装置毎の振動の回数をカウントし、前記通信端末の画面の地図上の前記収納装置の位置に、前記振動の回数に対応する情報を表示させる、ネットワークシステム。
【請求項６】
複数の収納装置と、
通信端末と、
サーバと、を備えるネットワークシステムにおける情報処理方法であって、
前記複数の収納装置の各々が、振動を検知して、当該振動に関する情報を前記サーバに提供するステップと、
前記サーバが、前記複数の収納装置毎の振動の回数をカウントするステップと、
前記サーバが、前記振動の回数が多い前記収納装置に関する情報を前記通信端末に出力させるステップと、を備える情報処理方法。
【請求項７】
複数の収納装置と、
通信端末と、
サーバと、を備えるネットワークシステムにおける情報処理方法であって、
前記複数の収納装置の各々が、振動を検知して、当該振動に関する情報を前記サーバに提供するステップと、
前記サーバは、前記複数の収納装置毎の位置を記憶するステップと、
前記サーバが、前記複数の収納装置毎の振動の回数をカウントするステップと、
前記サーバが、前記通信端末の画面の地図上の前記収納装置の位置に、前記振動の回数に対応する情報を表示させるステップと、を備える情報処理方法。
【発明の詳細な説明】
【技術分野】
【０００１】
本発明は、様々な商品を収納する収納装置を有効利用するための技術に関する。
【背景技術】
【０００２】
従来から、商品ボックスを管理するための技術が知られている。たとえば、特開２００４−１１５２５６号公報（特許文献１）には、商品ボックス管理装置、商品ボックス管理システムおよびプログラムが開示されている。特許文献１によると、コンピュータは、商品ボックス管理装置として機能する。商品ボックス管理装置は、複数の期間にわたって商品の配置をローテーションさせることを少なくとも定義する商品ローテーション計画と、その複数の場所を販売員が訪問する順序を少なくとも定義する訪問計画とを格納する格納手段と、商品ローテーション計画と訪問計画とに基づいて、予め計画された種類の商品を予め計画された数だけ商品ボックスに配置することを販売員に指示する商品配置指示を作成する作成手段とを備えている。
【先行技術文献】
【特許文献】
【０００３】
【特許文献１】特開２００４−１１５２５６号公報
【発明の概要】
【発明が解決しようとする課題】
【０００４】
本発明の目的は、収納装置の使用状態を効率的に取得することにある。
【課題を解決するための手段】
【０００５】
この発明のある態様に従うと、複数の商品を収納するための筐体と、引き出し、または扉と、振動センサと、通信アンテナと、制御部と、を備える収納装置が提供される。制御部は、通信アンテナを介して、振動センサによって検知された振動に関するデータをサーバに送信する。
【発明の効果】
【０００６】
以上のように、本発明によれば、収納装置の使用状態を効率的に取得することが可能になる。
【図面の簡単な説明】
【０００７】
【図１】第１の実施の形態にかかるネットワークシステム１の全体構成を示すイメージ図である。
【図２】第１の実施の形態にかかる収納装置２００の構成を示すブロック図である。
【図３】第１の実施の形態にかかるサーバ１００の構成を表わすブロック図である。
【図４】第１の実施の形態にかかる収納装置データ１２１を示すイメージ図である。
【図５】第１の実施の形態にかかるサーバ１００の処理手順を示すシーケンス図である。
【図６】第１の実施の形態にかかる通信端末３００の構成を示すブロック図である。
【図７】第２の実施の形態にかかるサーバ１００の処理手順を示すシーケンス図である。
【図８】第３の実施の形態にかかる収納装置２００の構成を示すブロック図である。
【図９】第３の実施の形態にかかる収納装置データ１２３を示すイメージ図である。
【図１０】第３の実施の形態にかかる収納量データ１２４のデータ構造を示すイメージ図である。
【図１１】第３の実施の形態にかかるサーバ１００の処理手順を示すシーケンス図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステムの全体構成と動作概要＞
【０００９】
まず、本実施の形態にかかるネットワークシステム１の全体構成について説明する。図１を参照して、ネットワークシステム１は、主に、インターネットに接続されたサーバ１００と、オフィスや家庭などに配置される収納装置２００と、収納装置２００に商品を提供するための担当者や支店の通信端末３００とを含む。
【００１０】
本実施の形態にかかる収納装置２００は、筐体２０１と、複数のお菓子を収納するための引き出し２０２，２０２を有するものである。しかしながら、収納装置２００は、お菓子以外の、ジュースやアイスクリームや調味料や文房具や薬や日用品などの他の種類の商品を収納してもよいし、引き出しではなく扉を有するものであってもよい。
【００１１】
そして、本実施の形態にかかる収納装置２００は、引き出しや扉を開閉した際に生じる振動を検知してサーバ１００に送信するものである。そして、サーバ１００が、振動検知回数が所定値を超えた収納装置２００を特定して、通信端末３００に当該収納装置２００に商品を補充しに行くように指示するための情報を提供するものである。これによって、商品を提供する業者は、収納装置２００が利用されていない場合に、すなわち収納装置２００に商品が未だにたくさん入っているにも関わらずに、担当者を訪問させる可能性を低減することができる。逆に、収納装置２００が頻繁に利用されている場合に、すなわち収納装置２００の商品が少なくなっている可能性が高いにも関わらずに、担当者を訪問させない可能性を低減することができる。
【００１２】
以下では、このような機能を実現するためのネットワークシステム１について詳細に説明する。
＜収納装置２００の構成＞
【００１３】
まず、図２を参照して、本実施の形態にかかるネットワークシステム１における収納装置２００の構成について説明する。なお、収納装置２００は、上述したように、筐体２０１と、商品を収納する引き出し２０２，２０２や棚や扉を有するものである。
【００１４】
収納装置２００は、主に、ＭＣＵ（Micro Controller Unit）２１０や、位置情報取得部２３０や、無線通信アンテナ２６０や、モーションセンサ２７０や、バッテリー２９０などを搭載する。
【００１５】
より詳細には、ＭＣＵ２１０は、プロセッサ２１１や、ＲＡＭ（Random  Access  Memory）、各種のＲＯＭ（Read-Only  Memory）などのメモリ２１２、などから構成される。プロセッサ２１１は、メモリ２１２のプログラムやデータに基づいて収納装置２００の各部を制御する。
【００１６】
位置情報取得部２３０は、ＧＮＳＳ（Global Navigation Satellite System）機能などを有し、定期的に、ＧＮＳＳアンテナで取得した信号に基づいて、収納装置２００の現在の位置と時刻とのデータをＭＣＵ２１０に提供する。たとえば、ＭＣＵ２１０は、定期的に、位置情報取得部２３０で測定されたデータを無線通信アンテナ２６０を利用してサーバ１００にアップロードする。
【００１７】
モーションセンサ２７０は、定期的に、収納装置２００の向きや姿勢や振動を測定して、測定データをＭＣＵ２１０に定期的に入力する。たとえば、モーションセンサ２７０は、収納装置２００の引き出し２０２，２０２が開閉されたときの振動を検知して、当該振動を示すデータをＭＣＵ２１０に入力する。なお、ＭＣＵ２１０は、振動パターンに基づいて、引き出し２０２，２０２が開けられたことを検知したり、引き出し２０２，２０２が閉じられたことを検知したり、収納装置２００が落下したり倒れたことを検知したりしてもよい。
【００１８】
バッテリー２９０は、収納装置２００の各部に電力を供給する。
【００１９】
無線通信アンテナ２６０は、ＬＴＥアンテナやＳＩＭカードなどを有し、キャリア網やインターネットや他の通信端末を介してサーバ１００との間でデータを送受信する。たとえば、ＭＣＵ２１０は、モーションセンサ２７０が振動を検知するたびに振動を示す情報や位置情報取得部２３０で取得した現在位置情報などをサーバ１００に送信する。あるいは、ＭＣＵ２１０は、振動データを蓄積しておき、定期的に、蓄積した振動データをサーバ１００に送信してもよい。あるいは、ＭＣＵ２１０は、振動データを蓄積しておき、所定回数、たとえば５回、振動を検知すると、蓄積した振動データをサーバ１００に送信してもよい。ただし、無線通信アンテナ２６０は、ｂｌｕｅｔｏｏｔｈ（登録商標）やＷｉＦｉ（登録商標）を利用して、スマートフォンや他の通信装置と通信することによって、サーバ１００と各種のデータをやり取りしてもよい。
【００２０】
ただし、収納装置２００は、無線通信アンテナ２６０の代わりに、有線の通信インターフェイスを有してもよい。
＜サーバ１００の構成＞
【００２１】
次に、ネットワークシステム１を構成するサーバ１００の構成の一態様について説明する。図３を参照して、サーバ１００は、主たる構成要素として、ＣＰＵ１１０と、メモリ１２０と、操作部１４０と、通信インターフェイス１６０とを含む。
【００２２】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００２３】
メモリ１２０は、各種のＲＡＭ、各種のＲＯＭなどによって実現され、サーバ１００に内包されているものであってもよいし、サーバ１００の各種インターフェイスに着脱可能なものであってもよいし、サーバ１００からアクセス可能な他の装置内のデータベースであってもよい。メモリ１２０は、ＣＰＵ１１０によって実行されるプログラムや、ＣＰＵ１１０によるプログラムの実行により生成されたデータ、収納装置データ１２１などを記憶する。
【００２４】
ここで、図４を参照して、収納装置データ１２１は、収納装置２００毎に、収納装置２００の識別情報や、収納装置２００を貸し出しているユーザの識別情報や、現在の設置位置や、振動回数や、更新日時や、収納装置２００が属する支店の識別情報や、収納装置２００を担当する担当者の識別情報などの対応関係を格納する。
【００２５】
図３に戻って、操作部１４０は、サービスの管理者などからの操作命令を受け付けてＣＰＵ１１０に入力する。
【００２６】
通信インターフェイス１６０は、ＣＰＵ１１０からのデータを、インターネットやキャリア網、ルータなどを介して収納装置２００や通信端末３００などの他の装置に送信する。逆に、通信インターフェイス１６０は、インターネット、キャリア網、ルータなどを介して他の装置からのデータを受信して、ＣＰＵ１１０に受け渡す。
＜サーバ１００の情報処理＞
【００２７】
次に本実施の形態にかかるサーバ１００の情報処理について説明する。本実施の形態にかかるＣＰＵ１１０は、メモリ１２０のプログラムに従って、図５に示す処理を実行する。
【００２８】
まず、ＣＰＵ１１０は、通信インターフェイス１６０を介して、収納装置２００からの振動データを受信する（ステップＳ１０２）。
【００２９】
ＣＰＵ１１０は、収納装置２００を特定する（ステップＳ１０４）。
【００３０】
ＣＰＵ１１０は、収納装置データ１２１の収納装置２００の振動回数を更新する（ステップＳ１０６）。
【００３１】
ＣＰＵ１１０は、振動回数が所定値を超えたか否かを判断する（ステップＳ１１０）。
【００３２】
ＣＰＵ１１０は、振動回数が所定値を超えた場合（ステップＳ１１０にてＹＥＳである場合）、通信インターフェイス１６０を介して、収納装置２００に紐づけられている担当者の通信端末３００に、収納装置２００の振動回数が所定値を超えた旨や、収納装置２００に商品を補充するためにユーザ宅に訪問するように指示する（ステップＳ１１２）。ＣＰＵ１１０は、収納装置データ１２１の収納装置２００の振動回数をゼロにリセットする（ステップＳ１１４）。
【００３３】
これによって、通信端末３００のＣＰＵ３１０は、通信インターフェイス３６０を介してサーバ１００からのデータを受信して、収納装置２００の振動回数が所定値を超えた旨や、収納装置２００に商品を補充するためにユーザ宅に訪問するための指示を、ディスプレイ３３０に表示させたり、スピーカ３７０から音声出力させたりする。
【００３４】
逆に、ＣＰＵ１１０は、振動回数が所定値を超えていない場合（ステップＳ１１０にてＮＯである場合）、次の収納装置２００からのデータを待ち受ける。
＜通信端末３００のハードウェア構成＞
【００３５】
次に、通信端末３００の構成の一態様について説明する。通信端末３００は、たとえばパーソナルコンピュータやタブレットやスマートフォンなどによって実現され、収納装置２００に商品を補充するための担当者や、収納装置２００を統括するエリアの支店に提供される。図６を参照して、通信端末３００は、主たる構成要素として、ＣＰＵ３１０と、メモリ３２０と、タッチパネル３５０（ディスプレイ３３０とポインティングデバイス３４０）と、通信インターフェイス３６０と、スピーカ３７０と、マイク３８０とを含む。
【００３６】
ＣＰＵ３１０は、メモリ３２０あるいは外部の記憶媒体に記憶されているプログラムを実行することによって、通信端末３００の各部を制御する。すなわち、ＣＰＵ３１０は、メモリ３２０に格納されているプログラムを実行することによって、各種の処理を実行する。
【００３７】
メモリ３２０は、各種のＲＡＭや各種のＲＯＭなどによって実現され、通信端末３００に内包されているものであってもよいし、通信端末３００の各種インターフェイスに着脱可能なものであってもよいし、通信端末３００からアクセス可能な他の装置の記録媒体であってもよい。メモリ３２０は、ＣＰＵ３１０によって実行される各種プログラム、ＣＰＵ３１０によるプログラムの実行に利用される各種データなどを記憶する。
【００３８】
ディスプレイ３３０は、ＣＰＵ３１０からの信号に基づいて、文字や画像を出力する。ポインティングデバイス３４０は、ユーザからの命令を受け付けて、当該命令をＣＰＵ３１０に入力する。なお、本実施の形態においては、通信端末３００は、ディスプレイ３３０とポインティングデバイス３４０とが組み合わされたタッチパネル３５０を有する。
【００３９】
通信インターフェイス３６０は、アンテナやコネクタによって実現され、インターネットやキャリア網を介してサーバ１００などの他の装置との間でデータをやり取りする。なお、通信インターフェイス３６０は、Ｂｌｕｅｔｏｏｔｈ（登録商標）やＷｉＦｉ（登録商標）を利用して、収納装置２００などの他の装置との間でデータをやり取りできてもよい。
【００４０】
スピーカ３７０は、ＣＰＵ３１０からの音声信号に基づいて各種音声を出力する。マイク３８０は、周囲の音声に基づいて、音声データをＣＰＵ３１０に入力する。
【００４１】
たとえば、ＣＰＵ３１０は、通信インターフェイス３６０を介して、サーバ１００から、収納装置２００の振動回数が所定値を超えた旨や、収納装置２００の現在位置を示す情報などを受信する。そして、ＣＰＵ３１０は、ディスプレイ３３０を介して、収納装置２００の振動回数が所定値を超えた旨や収納装置２００への訪問命令を表示したり、スピーカ３７０を介して、収納装置２００の振動回数が所定値を超えた旨や収納装置２００への訪問命令を音声出力したりする。
＜第２の実施の形態＞
【００４２】
あるいは以下のような形態であってもよい。図５のステップＳ１１２において、サーバ１００のＣＰＵ１１０は、振動回数が所定値を超えた場合に、収納装置２００の現在位置も通信端末３００に送信してもよい。そして、通信端末３００のＣＰＵ３１０は、振動回数が所定値を超えた旨の通知や、収納装置２００の現在位置に基づいて、ディスプレイ３３０の地図上に収納装置２００の位置を表示させながら、当該位置の近傍に振動回数を表示することが好ましい。
【００４３】
あるいは、複数の収納装置２００の現在位置と振動回数を地図上に表示させてもよい。たとえば、図７に示すように、サーバ１００のＣＰＵ１１０は、収納装置２００から振動の情報を受信した際に、または定期的に、収納装置データ１２１を参照して、収納装置２００の担当者が担当する複数の収納装置２００のうちの振動回数が所定値以上の通信端末３００を抽出してもよい（ステップＳ２１０）。そして、ＣＰＵ１１０は、抽出した収納装置２００の振動回数と現在位置とを当該担当者の通信端末３００に送信してもよい（ステップＳ２１２）。本実施の形態においては、通信端末３００のＣＰＵ３１０は、ディスプレイ３３０の地図上に、抽出された複数の収納装置２００の位置を表示させながら、当該位置の近傍に、振動回数に対応するアイコンや訪問を支持する旨のアイコンなど、各種の情報を表示することが好ましい。
＜第３の実施の形態＞
【００４４】
また、収納装置２００の振動の代わりに、あるいは収納装置２００の振動に加えて、収納装置２００に投入される硬貨の枚数に応じて、担当者が商品の補充に向かってもよい。
【００４５】
より詳細には、図８に示すように、本実施の形態にかかる収納装置２００は、高価購入口や硬貨検知センサ２８０を搭載する。そして、ＭＣＵ２１０は、硬貨検知センサ２８０を介して硬貨の投入を検知するたびに、無線通信アンテナ２６０を介してその旨をサーバ１００に送信する。あるいは、ＭＣＵ２１０は、硬貨検知センサ２８０を介して硬貨の投入を蓄積しておき、定期的に、無線通信アンテナ２６０を介して硬貨の投入回数をサーバ１００に送信してもよい。あるいは、ＭＣＵ２１０は、硬貨検知センサ２８０を介して硬貨の投入を蓄積しておき、所定回数、たとえば５回、硬貨が投入されるたびに、無線通信アンテナ２６０を介して硬貨の投入回数をサーバ１００に送信してもよい。
【００４６】
本実施の形態においては、サーバ１００のメモリ１２０は、収納装置データ１２３と、収納量データ１２４を記憶する。
【００４７】
図９に示すように、収納装置データ１２３は、収納装置２００毎に、収納装置２００の識別情報と、収納装置２００の設置位置と、収納装置２００の商品の最大収納個数と、収納装置２００に商品の回収や入れ替えや補充に訪れるべき基準個数などの対応関係を格納する。
【００４８】
図１０に示すように、収納量データ１２４は、収納装置２００毎に、収納装置２００の識別情報と、収納装置２００で硬貨の投入が検知された回数と、当該回数の更新日時などの対応関係を格納する。
【００４９】
そして、本実施の形態にかかるサーバ１００のＣＰＵ１１０は、メモリ１２０のプログラムに従って、図１１に示す処理を実行する。
【００５０】
まず、ＣＰＵ１１０は、通信インターフェイス１６０を介して、収納装置２００からのデータを受信する（ステップＳ３０２）。
【００５１】
ＣＰＵ１１０は、収納装置２００を特定する（ステップＳ３０４）。
【００５２】
ＣＰＵ１１０は、収納装置データ１２１の収納装置２００の振動回数を更新する（ステップＳ３０６）。
【００５３】
ＣＰＵ１１０は、収納量データ１２４の収納装置２００の硬貨投入回数を更新する（ステップＳ３０８）。
【００５４】
ＣＰＵ１１０は、振動回数が所定値を超えて、かつ硬貨投入回数が所定回数を超えたか否かを判断する（ステップＳ３１０）。
【００５５】
ＣＰＵ１１０は、振動回数が所定値を超えて、かつ硬貨投入回数が所定回数を超えた場合（ステップＳ３１０にてＹＥＳである場合）、通信インターフェイス１６０を介して、収納装置２００に紐づけられている担当者の通信端末３００に収納装置２００の商品が少なくなった旨を通知する（ステップＳ３１２）。ＣＰＵ１１０は、収納装置２００の振動回数や硬貨投入回数をゼロにリセットする（ステップＳ３１４）。
【００５６】
これによって、通信端末３００のＣＰＵ３１０は、通信インターフェイス３６０を介してサーバ１００からのデータを受信して、収納装置２００の振動回数や硬貨投入回数が所定値を超えた旨や、収納装置２００に商品を補充するためにユーザ宅に訪問するための指示を、ディスプレイ３３０に表示させたり、スピーカ３７０から音声出力させたりする。
【００５７】
逆に、ＣＰＵ１１０は、振動回数が所定値を超えていない、または硬貨投入回数が所定回数を超えていない場合（ステップＳ３１０にてＮＯである場合）、次の収納装置２００からのデータを待ち受ける。
＜第４の実施の形態＞
【００５８】
上記の実施の形態のネットワークシステム１の各装置の役割の一部または全部を他の装置が実行してもよい。たとえば、サーバ１００や収納装置２００や通信端末３００の各々の役割の一部または全部を別の装置が担ったり、サーバ１００や収納装置２００や通信端末３００の各々の役割の一部または全部を複数の装置で担ったりしてもよい。具体的には、サーバ１００の役割をクラウド上の複数のサーバで担ったり、サーバ１００の役割を通信端末３００のアプリケーションが担ったり、サーバ１００の判断の一部を収納装置２００で実行したりすることができる。
＜まとめ＞
【００５９】
上記の実施の形態においては、複数の商品を収納するための筐体と、引き出し、または扉と、振動センサと、通信アンテナと、制御部と、を備える収納装置が提供される。制御部は、通信アンテナを介して、振動センサによって検知された振動に関するデータをサーバに送信する。
【００６０】
好ましくは、収納装置は、硬貨が投入されたことを検知するための硬貨投入検知センサをさらに備える。制御部は、通信アンテナを介して、硬貨投入検知センサによって検知された硬貨の投入に関するデータをサーバに送信する。
【００６１】
好ましくは、引き出し、または扉には鍵が設けられておらず、自由に開閉可能に構成されている。
【００６２】
上記の実施の形態においては、複数の収納装置と、通信端末と、サーバと、を備えるネットワークシステムが提供される。サーバは、複数の収納装置毎の振動の回数をカウントし、振動の回数が多い収納装置に関する情報を通信端末に出力させる。
【００６３】
上記の実施の形態においては、複数の収納装置と、通信端末と、サーバと、を備えるネットワークシステムが提供される。サーバは、複数の収納装置毎の位置を記憶し、複数の収納装置毎の振動の回数をカウントし、通信端末の画面の地図上の収納装置の位置に、振動の回数に対応する情報を表示させる。
【００６４】
上記の実施の形態においては、複数の収納装置と、通信端末と、サーバと、を備えるネットワークシステムにおける情報処理方法が提供される。情報処理方法は、複数の収納装置の各々が、振動を検知して、当該振動に関する情報をサーバに提供するステップと、サーバが、複数の収納装置毎の振動の回数をカウントするステップと、サーバが、振動の回数が多い収納装置に関する情報を通信端末に出力させるステップと、を備える。
【００６５】
上記の実施の形態においては、複数の収納装置と、通信端末と、サーバと、を備えるネットワークシステムにおける情報処理方法が提供される。情報処理方法は、複数の収納装置の各々が、振動を検知して、当該振動に関する情報をサーバに提供するステップと、サーバは、複数の収納装置毎の位置を記憶するステップと、サーバが、複数の収納装置毎の振動の回数をカウントするステップと、サーバが、通信端末の画面の地図上の収納装置の位置に、振動の回数に対応する情報を表示させるステップと、を備える。
【００６６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６７】
１        ：ネットワークシステム
１００    ：サーバ
１１０    ：ＣＰＵ
１２０    ：メモリ
１２１    ：機器情報データ
１２２    ：位置情報データ
１４０    ：操作部
１６０    ：通信インターフェイス
２００    ：収納装置
２１０    ：ＭＣＵ
２１１    ：プロセッサ
２１２    ：メモリ
２３０    ：位置情報取得部
２６０    ：通信部
２７０    ：モーションセンサ
２８０    ：ＤＣ／ＤＣコンバータ
２９０    ：バッテリー電圧モニタ
３００    ：通信端末
３１０    ：ＣＰＵ
３２０    ：メモリ
３３０    ：ディスプレイ
３４０    ：ポインティングデバイス
３５０    ：タッチパネル
３６０    ：通信インターフェイス
３７０    ：スピーカ
３８０    ：マイク
５００    ：車両
５０１    ：バッテリー
【図１】
2020194427.tif 000003
【図２】
2020194427.tif 000004
【図３】
2020194427.tif 000005
【図４】
2020194427.tif 000006
【図５】
2020194427.tif 000007
【図６】
2020194427.tif 000008
【図７】
2020194427.tif 000009
【図８】
2020194427.tif 000010
【図９】
2020194427.tif 000011
【図１０】
2020194427.tif 000012
【図１１】
2020194427.tif 000013